(57)【要約】【課題】部材員数の低減を図るとともに、効率良くつり合いおもりを搭載することのできるエレベーターのつり合いおもり枠構造及びつり合いおもり装置の提供。【解決手段】たて枠２、上枠３および下枠４から構成されるエレベーターのつり合いおもり枠構造において、たて枠２を、上たて枠２ａと下たて枠２ｂとに分割するとともに、上たて枠２ａと下たて枠２ｂを連結する連結部材を、上部に配置されるつり合いおもり６を支持する上部つり合いおもり台９と一体とし、かつ、上部つり合いおもり台９で囲われたスペースに、他のつり合いおもり１０を配置するようにしたものである。【選択図】図１
2010006519.tif 000002
【特許請求の範囲】
【請求項１】
たて枠、上枠および下枠から構成されるエレベーターのつり合いおもり枠構造において、
前記たて枠を、上たて枠と下たて枠とに分割するとともに、前記上たて枠と前記下たて枠を連結する連結部材を、上部に配置されるつり合いおもりを支持する上部つり合いおもり台と一体とし、かつ、前記上部つり合いおもり台で囲われたスペースに、他のつり合いおもりを配置することを特徴としたエレベーターのつり合いおもり枠構造。
【請求項２】
前記上部つり合いおもり台の下部に、前記他のつり合いおもりの落下を防止するステイを取付けたことを特徴とする請求項１記載のエレベーターのつり合いおもり枠構造。
【請求項３】
たて枠、上枠および下枠から構成されるエレベーターのつり合いおもり装置において、
前記たて枠を、上たて枠と下たて枠とに分割するとともに、前記上たて枠と前記下たて枠を連結する連結部材を、上部に配置されるつり合いおもりを支持する上部つり合いおもり台と一体とし、かつ、前記上部つり合いおもり台で囲われたスペースに、他のつり合いおもりを配置することを特徴としたエレベーターのつり合いおもり装置。
【発明の詳細な説明】
【技術分野】
【０００１】
本発明は、たて枠を、上たて枠と下たて枠とに分割可能としたエレベーター用のつり合いおもり枠構造及びそれを用いたつり合いおもり装置に関する。
【背景技術】
【０００２】
一般に、標準的なエレベーターのつり合いおもり枠を構成するたて枠は、上下方向で分割せず一体物で構成される。しかし、つり合いおもり用のレール間寸法に制限があり、かつ、つり合いおもりの質量を大きくする必要がある場合には、つり合いおもり枠のたて枠の高さ寸法を大きくする方法として、たて枠を、上たて枠と下たて枠とに分割するものがある。これにより製作性、運搬性あるいは搬入性の向上を図っている。
【０００３】
このようなつり合いおもり枠構造として、つなぎ板により上たて枠と下たて枠とを連結するとともに、つなぎ板の上部に上部つり合いおもり台を備え、この上部つり合いおもり台の上につり合いおもりを搭載するものが提案されている（例えば、特許文献１参照）。
【特許文献１】特開２００７−３３１８７７（段落番号００１４〜００１６、図２）
【発明の開示】
【発明が解決しようとする課題】
【０００４】
しかしながら、前述した従来のつり合いおもり枠構造では、つなぎ板と上部つり合いおもりとは別個に設けられるものであったが、部材の員数を可能な限り削減することは作業効率およびコスト低減の観点から常に望ましいものである。また、上下のたて枠を連結するつなぎ板部には、つり合いおもりが搭載できないので、つり合いおもりを効率よく積み込むことができず、つり合いおもり枠が大きくなるといった問題があった。
【０００５】
本発明は、前述した従来技術における実状からなされたもので、その目的は、部材員数の低減を図るとともに、効率良くつり合いおもりを搭載することのできるエレベーターのつり合いおもり枠構造及びつり合いおもり装置を提供することにある。
【課題を解決するための手段】
【０００６】
前記目的を達成するために、本発明の請求項１に係る発明は、たて枠、上枠および下枠から構成されるエレベーターのつり合いおもり枠構造において、前記たて枠を、上たて枠と下たて枠とに分割するとともに、前記上たて枠と前記下たて枠を連結する連結部材を、上部に配置されるつり合いおもりを支持する上部つり合いおもり台と一体とし、かつ、前記上部つり合いおもり台で囲われたスペースに、他のつり合いおもりを配置することを特徴としている。
【０００７】
このように構成した本発明の請求項１に係る発明では、上たて枠と下たて枠を連結する連結部材を上部つり合いおもり台と兼用することで、部材員数の低減を図ることができる。また、上部つり合いおもり台で囲われたスペースにも他のつり合いおもりを配置することで、効率良くつり合いおもりを搭載することができる。
【０００８】
また、本発明の請求項２に係る発明は、前記上部つり合いおもり台の下部に、前記他のつり合いおもりの落下を防止するステイを取付けたことを特徴としている。
【０００９】
このように構成した本発明の請求項２に係る発明では、上部つり合いおもり台の下部に取付けたステイにより他のつり合いおもりを支持することで、上部つり合いおもり台で囲われたスペースを効率良く活用するとともに、他のつり合いおもりを安定した状態に保持することができる。
【００１０】
また、本発明の請求項３に係る発明は、たて枠、上枠および下枠から構成されるエレベーターのつり合いおもり装置において、前記たて枠を、上たて枠と下たて枠とに分割するとともに、前記上たて枠と前記下たて枠を連結する連結部材を、上部に配置されるつり合いおもりを支持する上部つり合いおもり台と一体とし、かつ、前記上部つり合いおもり台で囲われたスペースに、他のつり合いおもりを配置することを特徴としている。
【００１１】
このように構成した本発明の請求項３に係る発明では、上たて枠と下たて枠を連結する連結部材を上部つり合いおもり台と兼用することで、部材員数の低減を図ることができるつり合いおもり装置を提供することができる。また、上部つり合いおもり台で囲われたスペースにも他のつり合いおもりを配置することで、効率良くつり合いおもりを搭載することができるつり合いおもり装置を提供することができる。
【発明の効果】
【００１２】
本発明によれば、上たて枠と下たて枠を連結する連結部材を上部つり合いおもり台と兼用することで部材員数を低減し、これによって、工場の製作現場における作業効率、およびコスト低減を図ることができる。また、効率良くつり合いおもりを搭載することによってつり合いおもり枠のたて枠の高さ寸法を低減し、省スペース化を実現することができる。
【発明を実施するための最良の形態】
【００１３】
以下、本発明に係るエレベーターのつり合いおもり枠構造の実施の形態を図に基づいて説明する。
【００１４】
図１は本発明に係るエレベーターのつり合いおもり枠構造の一実施形態を示すつり合いおもり装置の全体構成図、図２はつり合いおもり枠の要部平面図、図３はつり合いおもり枠の要部縦断面図、図４はつり合いおもりの平面図、図５は他のつり合いおもりの平面図である。
【００１５】
つり合いおもり枠１は、図１に示すように、対となって配置されるたて枠２、たて枠２の上部が連結される上枠３、およびたて枠２の下部が連結される下枠４からなる基本構造を有するとともに、対となるたて枠２の間には、中間柱５が立設され、一方のたて枠２と中間柱５との間、および、他方のたて枠２と中間柱５との間のそれぞれのスペースにつり合いおもり６が配置されている。また、つり合いおもり枠１の四隅には、建屋の昇降路に立設されるつり合いおもり用ガイドレール７に摺接し、つり合いおもり枠１の昇降をガイドするガイド装置８が取付けられている。
【００１６】
そして、本実施形態のつり合いおもり枠１は、たて枠２が、上たて枠２ａと下たて枠２ｂとに分割され、上たて枠２ａと下たて枠２ｂは、上部つり合いおもり台９により互いに連結されている。即ち、上部つり合いおもり台９は、上たて枠２ａの下端と下たて枠２ｂの上端をつき合わせた状態で、図２にも示すように、上たて枠２ａおよび下たて枠２ｂを挟み込むようにして配置されるとともに、ボルト１１により締結され、上たて枠２ａと下たて枠２ｂとを連結する。
【００１７】
また、上部つり合いおもり台９の上につり合いおもり６が配置されるとともに、上部つり合いおもり台９で囲われたスペースに、他のつり合いおもり１０が配置されるようになっている。即ち、図３に示すように、対向する上部つり合いおもり台９の下部に、略Ｕ字状の断面形状を有するステイ１２が嵌合固定され、このステイ１２の上部に他のつり合いおもり１０が配置される。
【００１８】
さらに、つり合いおもり６は、図４に示すように、質量を増すため矩形の胴体部の両側に鍔が一体的に設けられた形状を有しており、上部つり合いおもり台９の上に載置されるとともに、下枠４の上にも載置される。一方、他のつり合いおもり１０は、図５に示すように、矩形の形状を有しており、この他のつり合いおもり１０の寸法を、図２に示す寸法Ｘ、Ｌ以下に設定することで、上部つり合いおもり台９で囲われたスペースに載置可能となっている。
【００１９】
本実施形態によれば、上たて枠２ａと下たて枠２ｂを連結する連結部材を上部つり合いおもり台９と兼用することでつり合いおもり枠１の部材員数を低減し、これによって、工場の製作現場における作業効率、およびコスト低減を図ることができる。また、上部つり合いおもり台９で囲われたスペースにも他のつり合いおもり１０を配置することで、効率良くつり合いおもりを搭載することができ、これによって、つり合いおもり枠１のたて枠２の高さ寸法を低減し、省スペース化を実現することができる。
【図面の簡単な説明】
【００２０】
【図１】本発明に係るエレベーターのつり合いおもり枠構造の一実施形態を示すつり合いおもり装置の全体構成図である。
【図２】つり合いおもり枠の要部平面図である。
【図３】つり合いおもり枠の要部縦断面図である。
【図４】つり合いおもりの平面図である。
【図５】他のつり合いおもりの平面図である。
【符号の説明】
【００２１】
１    つり合いおもり枠
２    たて枠
２ａ  上たて枠
２ｂ  下たて枠
３    上枠
４    下枠
５    中間柱
６    つり合いおもり
７    ガイドレール
８    ガイド装置
９    上部つり合いおもり台
１０  他のつり合いおもり
１１  ボルト
１２  ステイ
【図１】
2010006519.tif 000003
【図２】
2010006519.tif 000004
【図３】
2010006519.tif 000005
【図４】
2010006519.tif 000006
【図５】
2010006519.tif 000007